(57)【要約】      （修正有）【課題】広告機能にすぐれ、しかも机上においても、携帯しても使い勝手のよいメモ用紙を実現する。さらに、幼児の図形や文字の練習などにも兼用可能とする。【解決手段】立てた状態のスタンド板１ｓの下辺部に凹溝状部を有し、その凹溝状部中にメモ用紙ユニットを挿入支持でき、カバー板２の基端が前記スタンド板の凹溝状部側に開閉可能に軸支されており、スタンド板およびカバー板が透明又は半透明となっていること、前記のメモ用紙ユニットは、複数枚のメモ用紙を綴じないで分離したまま重ねてなり、複数枚のメモ用紙は、全面又は一部の領域に、任意の手法で広告表示が印刷されている。前記のスタンド板又はカバー板の少なくとも片方に、任意形状の穴を開けてある。【選択図】図４
0003103582.tif 000002
【実用新案登録請求の範囲】
【請求項１】
立てた状態のスタンド板の下辺部に凹溝状部を有し、その凹溝状部中にメモ用紙ユニットを挿入支持でき、カバー板の基端が前記スタンド板の凹溝状部側に開閉可能に軸支されており、スタンド板およびカバー板が透明又は半透明となっていること、
前記のメモ用紙ユニットは、複数枚のメモ用紙を綴じないで分離したまま重ねてなり、複数枚のメモ用紙の全部又は一部は、全面又は一部の領域に、任意の手法で広告表示が印刷されていることを特徴とするメモ用紙セット。
【請求項２】
前記の複数枚の各メモ用紙の全部又は一部は、少なくとも前記凹溝状部に入る部分の少なくとも正面側に、広告文や広告対象の社名、電話番号などの広告表示が印刷されていることを特徴とする請求項１に記載のメモ用紙セット。
【請求項３】
前記の各メモ用紙の全部又は一部に、５ｍｍ方眼が印刷されており、少なくとも１辺には、１ｍｍ単位の目盛が印刷されていることを特徴とする請求項１または請求項２に記載のメモ用紙セット。
【請求項４】
前記のスタンド板又はカバー板の少なくとも片方に、任意形状の穴を開けてあることを特徴とする請求項１、請求項２または請求項３に記載のメモ用紙セット。
【考案の詳細な説明】
【技術分野】
【０００１】
本考案は、複数枚のメモ用紙をまとめてユニットにし、これを透明のケースに収納してなるメモ用紙セットに関する。
【背景技術】
【０００２】
メモ用紙に関する出願としては、実開平６-86961号のように、メモ帳の台紙に伸縮性を持つバンドを取付け、そのバンドを腕に通して、メモ帳本体を腕に固定し、その状態のままで用紙に記録ができるように工夫した考案が提案されている。
【０００３】
また、特開平９-39436号のように、従来のメモ帳の単調性を改善し、メモ帳を開くと、綴じられたメモ紙の１０数枚以上が放射線状に自立して、その部分のメモ書きが容易に見えるようにした考案も提案されている。
【０００４】
【特許文献１】実開平６-86961
【特許文献２】特開平９-39436
【考案の開示】
【考案が解決しようとする課題】
【０００５】
ところが、実開平６-86961号のような腕輪式メモ帳は、看護婦などのように忙しく動き回りながら常時メモを要する職業には適しているが、通常の人が常に腕にメモ帳を取付けた状態で居るのは見苦しく、一般的でない。したがって、需要が多いとは思えないし、あまり便利だとも思えない。
【０００６】
また、特開平９-39436号のように、自立性に富んだメモ紙が多数枚重ね合わされてその表裏に厚紙が配され、一端面において弾性を有する接着剤でもって厚紙と共に各メモ紙が剥離可能に接着されてなり、表裏の厚紙を両側に開くと上記接着剤層の少なくとも一部が円弧状に湾曲され、この湾曲部に位置するメモ紙がその接着剤層から放射状に自立して半球状に展開状態に保持されるように構成されているメモ帳は、放射状に開いた状態においてメモ書きが見えやすいという利点はある。
【０００７】
しかしながら、メモ書きしたメモ用紙を残さずに、分離して他人に渡したり、別の場所に保存したりする場合には、全く意味がない。したがって、メモ書きしたメモ用紙を残しておいて、メモ書きの内容を目視する必要性の有る場合でないと、利便性が有るとは思えない。そのため、通常の使い方のように、メモ書きしたメモ用紙を他人に渡したりする場合には、便利だとはいえない。
【０００８】
本考案の技術的課題は、このような問題に着目し、多数枚の分離したメモ用紙をユニットにして所持していて、メモ書きしたメモ用紙を自由自在に他人に渡したり、別に保管したりするのに便利であり、特に広告機能にすぐれたメモ用紙セットを実現することにある。また、机上においても、携帯しても使い勝手のよいメモ用紙を実現することにある。さらに、幼児の図形や文字の練習などにも兼用可能とする。
【課題を解決するための手段】
【０００９】
本考案の技術的課題は次のような手段によって解決される。請求項１は、立てた状態のスタンド板の下辺部に凹溝状部を有し、その凹溝状部中にメモ用紙ユニットを挿入支持でき、カバー板の基端が前記スタンド板の凹溝状部側に開閉可能に軸支されており、スタンド板およびカバー板が透明又は半透明となっていること、前記のメモ用紙ユニットは、複数枚のメモ用紙を綴じないで分離したまま重ねてなり、複数枚のメモ用紙の全部又は一部は、全面又は一部の領域に、任意の手法で広告表示が印刷されていることを特徴とするメモ用紙セットである。
【００１０】
このように、複数枚のメモ用紙を綴じないで分離したまま重ねてなるメモ用紙ユニットを、スタンド付きの透明ケースに内蔵してあるため、机上においては、透明ケースを開けて、スタンドを立てておけば、その中のメモ用紙ユニットを立てた状態にできる。その結果、走り書きしたメモの内容を目の前に立てておくことができ、忘れ防止や注意喚起に最適であり、不在表示や伝言などにも便利である。また、透明ケースに入れてあるので、ケースに入れた状態でも外部からメモ用紙の広告やメモ書きなどを目視確認できる。しかも、各メモ用紙は、綴じないで分離したままになっているので、製造費を低減でき、また走り書きしたメモ用紙を他人に渡したり、別の場所に保管したりするのに便利である。
【００１１】
さらに、複数枚のメモ用紙の全部又は一部は、全面又は一部の領域に、任意の手法で広告表示が印刷されているため、このメモ用紙セットを贈答用に使用したり、販売促進用として贈呈するのに適している。そして、入手したユーザーは、メモ用紙に表示された広告表示を否応なしに、直接又は透明ケースを通して見ることになるので、広告宣伝の効果は甚大である。
【００１２】
請求項２は、前記の複数枚の各メモ用紙の全部又は一部は、少なくとも前記凹溝状部に入る部分の少なくとも正面側に、広告文や広告対象の社名、電話番号などの広告表示が印刷されていることを特徴とする請求項１に記載のメモ用紙セットである。このように、前記のスタンド板は、立てた状態における下辺部が凹溝状になっていて、その中に前記のメモ用紙ユニットが挿入支持される構造になっているので、各メモ用紙が綴じてなくて、バラバラ状態であるにも係わらず、メモ用紙ユニットの下部のみを凹溝に挿入するだけで、確実に複数枚のメモ用紙を安定良く保持できる。このように安定性が良いので、凹溝中にメモ用紙ユニットを挿入した状態で楽にメモ書きでき、しかもスタンド板が下敷きとして機能するので筆記に支障は無い。
【００１３】
そして、前記メモ用紙ユニットの全部又は一部は、少なくとも前記凹溝状部に入る部分の少なくとも正面側に、広告文や広告対象の社名、電話番号などの広告表示が印刷されているので、メモ用紙ユニットがスタンド板に収納されている状態では、常に凹溝部内のメモ用紙の広告内容が目視でき、広告宣伝に最適である。しかも、凹溝の前面は、スタンド板を立てた状態でも、透明ケースを閉じた状態でも、常に目につき易い位置に有るので、広告宣伝に有利である。
【００１４】
請求項３は、前記の各メモ用紙の全部又は一部に、５ｍｍ方眼が印刷されており、少なくとも１辺には、１ｍｍ単位の目盛が印刷されていることを特徴とする請求項１または請求項２に記載のメモ用紙セットである。このように、各メモ用紙の全部又は一部に、５ｍｍ方眼が印刷されているので、文字や図形を書いたりする場合に、５ｍｍ方眼を目安にして書くことができ、便利である。また、少なくとも１辺に１ｍｍ単位の目盛が印刷されているので、寸法を測定することもでき、用途が拡がる。
【００１５】
請求項４は、前記のスタンド板又はカバー板の少なくとも片方に、任意形状の穴を開けてあることを特徴とする請求項１、請求項２または請求項３に記載のメモ用紙セットである。このように、スタンド板又はカバー板の少なくとも片方に、任意形状の穴を開けてあるので、この穴の内縁に筆記具を当てて、穴の内縁をなぞるように移動すれば、穴の形状の全部又は一部をメモ用紙に写し取ることができる。したがって、子どもたちが、図を描いて遊んだりするのに有効であり、また穴の形状が文字になっていると、文字の形を覚えたり文字のくせを矯正したりする等の学習にも利用できる。
【００１６】
穴の形状をコンピュータプログラム作成用のテンプレート図形にしておけば、成人がコンピュータプログラムその他のフローチャートを描いたりするのにも便利である。もちろん、透明ケースの内部のメモ用紙に描く場合に限らず、机上や本などの上に置いた別の任意の用紙にスタンド板やカバー板を重ねて、その穴でなぞり書きすることもできる。なおこの穴を、台座となるカバー板に開けておくと、穴を利用して筆記具を立てたり、消しゴムなどを紛失しないように定位置に置いたりするのにも利用できる。
【考案の効果】
【００１７】
請求項１のように、複数枚のメモ用紙を綴じないで分離したまま重ねてなるメモ用紙ユニットを、スタンド付きの透明ケースに内蔵してあるため、机上においては、透明ケースを開けて、スタンドを立てておけば、その中のメモ用紙ユニットを立てた状態にできる。その結果、走り書きしたメモの内容を目の前に立てておくことができ、忘れ防止や注意喚起に最適であり、不在表示や伝言などにも便利である。また、透明ケースに入れてあるので、ケースに入れた状態でも外部からメモ用紙の広告やメモ書きなどを目視確認できる。しかも、各メモ用紙は、綴じないで分離したままになっているので、製造費を低減でき、また走り書きしたメモ用紙を他人に渡したり、別の場所に保管したりするのに便利である。
【００１８】
さらに、複数枚のメモ用紙の全部又は一部は、全面又は一部の領域に、任意の手法で広告表示が印刷されているため、このメモ用紙セットを贈答用に使用したり、販売促進用として贈呈するのに適している。そして、入手したユーザーは、メモ用紙に表示された広告表示を否応なしに、直接又は透明ケースを通して見ることになるので、広告宣伝の効果は甚大である。
【００１９】
請求項２のように、前記のスタンド板は、立てた状態における下辺部が凹溝状になっていて、その中に前記のメモ用紙ユニットが挿入支持される構造になっているので、各メモ用紙が綴じてなくて、バラバラ状態であるにも係わらず、メモ用紙ユニットの下部のみを凹溝に挿入するだけで、確実に複数枚のメモ用紙を安定良く保持できる。このように安定性が良いので、凹溝中にメモ用紙ユニットを挿入した状態で楽にメモ書きでき、しかもスタンド板が下敷きとして機能するので筆記に支障は無い。
【００２０】
そして、前記メモ用紙ユニットの全部又は一部は、少なくとも前記凹溝状部に入る部分の少なくとも正面側に、広告文や広告対象の社名、電話番号などの広告表示が印刷されているので、メモ用紙ユニットがスタンド板に収納されている状態では、常に凹溝部内のメモ用紙の広告内容が目視でき、広告宣伝に最適である。しかも、凹溝の前面は、スタンド板を立てた状態でも、透明ケースを閉じた状態でも、常に目につき易い位置に有るので、広告宣伝に有利である。
【００２１】
請求項３のように、各メモ用紙の全部又は一部に、５ｍｍ方眼が印刷されているので、文字や図形を書いたりする場合に、５ｍｍ方眼を目安にして書くことができ、便利である。また、少なくとも１辺に１ｍｍ単位の目盛が印刷されているので、寸法を測定することもでき、用途が拡がる。
【００２２】
請求項４のように、スタンド板又はカバー板の少なくとも片方に、任意形状の穴を開けてあるので、この穴の内縁に筆記具を当てて、穴の内縁をなぞるように移動すれば、穴の形状の全部又は一部をメモ用紙に写し取ることができる。したがって、子どもたちが、図を描いて遊んだりするのに有効であり、また穴の形状が文字になっていると、文字の形を覚えたり文字のくせを矯正したりする等の学習にも利用できる。
【００２３】
穴の形状をコンピュータプログラム作成用のテンプレート図形にしておけば、成人がコンピュータプログラムその他のフローチャートを描いたりするのにも便利である。もちろん、透明ケースの内部のメモ用紙に描く場合に限らず、机上や本などの上に置いた別の任意の用紙にスタンド板やカバー板を重ねて、その穴でなぞり書きすることもできる。なおこの穴を、台座となるカバー板に開けておくと、穴を利用して筆記具を立てたり、消しゴムなどを紛失しないように定位置に置いたりするのにも利用できる。
【考案を実施するための最良の形態】
【００２４】
次に本考案によるメモ用紙セットが実際上どのように具体化されるか実施形態を説明する。図１は、本考案によるメモ用紙セットに用いる透明ケースを開いた状態の斜視図である。この透明ケースは、ケースを兼ねたスタンド部１とカバー板２とからなり、スタンド部１中に、図２のように、メモ用紙のユニットｍを挿入し収納する。このメモ用紙ユニットｍは、通常のメモ帳と違って、複数枚のメモ用紙を綴じないで分離したまま重ねてあるだけである。スタンド部１の基部両壁１ｄ、１ｅに開けた横孔に、カバー板２の基端両壁から突出した内向きの横軸が嵌入することによって、互いに開閉動作可能に軸支されている。
【００２５】
したがって、軸支部３を中心にして、カバー板２を矢印ａ１方向に回動させて台座とし、スタンド部１を立てると、図３のようになる。この状態で、スタンド部１中にメモ用紙ユニットｍを挿入したのが図４であり、矩形状のスタンド板１ｓに多数のメモ用紙が重なった状態で保持される。このように、机上に立てた状態のスタンド部１にメモ用紙ユニットｍが挿入支持されているので、メモ用紙ユニットｍ中から、メモ用紙を１枚ずつ取り出してメモ書きして、他人に渡したりできる。後述するように、メモ用紙には広告が表示してあるので、常に広告を目視することになる。メモ書きが見えるので、忘れ防止や記憶練習、伝言などにも利用できる。
【００２６】
図５のように、スタンド部１の基部には、メモ用紙ユニットｍを挿入できるように、凹溝状部１ｕを形成してある。この凹溝状部１ｕは、スタンド板１ｓの基端部１ａと底部１ｂと前壁部１ｃとによって、凹溝状に形成されている。したがって、この凹溝部１ｕの中に、多数枚のメモ用紙からなるメモ用紙ユニットｍを挿入し、立てることができる。この凹溝部１ｕの両端は、側壁１ｄ、１ｅによって閉じられている。そして、この側壁１ｄ、１ｅに、前記の支軸挿入用の軸孔ｈが開けられている。また、側壁１ｄ、１ｅは、図１、図３からも明らかなように、スタンド部１の矩形板部１ｓの中間位置まで延びている。この延長部１ｄｄ、１ｅｅの高さは、側壁１ｄ、１ｅの２分の１程度の高さになっている。
【００２７】
図２のように、スタンド部１中にメモ用紙ユニットｍを挿入した状態で、軸支部３を中心にして、カバー板２を矢印ａ２方向（矢印ａ１と逆向き）に回動させると、図６のように、透明ケースを閉じた状態となる。このように閉じた状態で、ポケットやカバンなどに入れて携帯することもできる。
【００２８】
カバー板２は、図６のように閉じた状態において、スタンド部１の凹溝部１ｕが当たらないように、逃げを形成してある。すなわち、カバー板面２ｃの両端から、スタンド部１の側壁１ｄ、１ｄｄ、１ｅ、１ｅｅの外側に直角に形成されている側壁部２ａ、２ｂは、前記の軸支部３の位置まで延びて側腕となっているのに対し、カバー板面２ｃだけは、凹溝部１ｕの前壁部１ｃに当たらないように、手前で途切れた形状になっている。つまり、前壁部１ｃの部分が入り込めるだけの逃げ窓孔２ｗを開けてある。また、矩形のカバー板面２ｃの先端からスタンド板１ｓまで直角に形成された先端側壁部２ｄを有している。
【００２９】
したがって、図２のように、スタンド部１の凹溝部１ｕ中にメモ用紙ユニットｍを挿入した状態で、図６のように、カバー板２を閉じると、スタンド板１ｓ上のメモ用紙ユニットｍの両側面部と頂端側の側面部がカバー板２の各側壁２ａ、２ｂ、２ｄでカバーされることになる。その結果、このように閉じた状態でポケットやカバンなどに入れても、内部のメモ用紙が露出して、損傷したり汚れたりすることはない。
【００３０】
図７は、メモ用紙ユニットｍを構成する各メモ用紙の構成である。本考案のメモ用紙セットは、もちろん販売用としても適するが、宣伝用や贈答用、販売促進用などとして有効である。そのため、図７のように、メモ用紙ユニットｍを構成する各メモ用紙６の下辺側の帯状の領域６ａを広告領域としてあり、この領域６ａに、スポンサーとなる企業の広告文やキャッチフレーズ、写真、社名、電話番号などを表示・印刷しておく。この広告領域６ａは、スタンド部１の凹溝部１ｕ中に入り、前壁部１ｃの内側にちょうど隠れる領域であるが、この前壁部１ｃは透明乃至は半透明となっているので、この前壁部１ｃを通して、メモ用紙６の広告内容が見えることになり、広告宣伝用として最適である。
【００３１】
このような広告内容の印刷は、メモ用紙ユニットｍ中の全部のメモ用紙６に行なってもよいし、一部のメモ用紙のみに行なってもよい。また、メモ用紙の表面すなわち前壁部１ｃ側の面のみに印刷してもよいし、表裏両面に印刷してもよい。メモ用紙６の下部の広告領域６ａのみでは、広告領域としては狭すぎる場合は、凹溝部１ｕの中に入る領域６ａだけでなく、メモ用紙６の全面あるいは中央部などにも印刷してもよい。印刷方法も、例えば透かし印刷にすれば、メモ用紙６の中央や全面に印刷しても、あまり目障りとなることはなく、メモ用紙として使用できる。
【００３２】
メモ用紙６には、文字を書いたり、図を描いたりする場合の目安になるように、罫線や方眼紙状の枡目７などを印刷しておいてもよい。また、メモ用紙６の少なくとも１辺に、１ｍｍ単位の目盛８を印刷しておくと、寸法の測定などに利用することができる。
【００３３】
図８は、スタンド板１ｓやカバー板２ｃに開けておく穴の形状であり、例えば図示のような〇や△、星形、プログラム作成用のテンプレート図形などのような各種形状の穴９を開けておくと、フローチャートを描いたりするのにも便利である。この場合、ケース内部のメモ用紙６に限らず、他の任意の用紙を机上や本などの上に置いて描く際にも利用できる。また、動植物の形状や文字の形状などを開けておいて、この倣い穴９の内縁を筆記具でなぞれば、幼児が動物や果物の絵などを描いたり文字を覚えたり練習したりするのにも利用できる。したがって、メモ用以外の用途にも拡がることになる。
【００３４】
なお、メモ用紙ユニットを使用し尽くした場合は、通常の使用済み用紙をメモ用紙６と同じサイズにカットして凹溝状部１ｕに挿入し、裏面を有効利用して練習するなど、透明ケースのみの利用も可能である。倣い穴９がスタンドの台座となるカバー板２に開けてある場合は、この穴９を利用して筆記具を挿して立てたり、消しゴムなどの小物を入れて定位置に保管したりもできる。
【００３５】
メモ用紙ユニットを収納するケースは、専用を製造してもよいが市販の3.５インチフロッピイを格納するケースやＭＯケースなどを転用してもよい。市販の既存のケースを利用する場合は、内蔵するメモ用紙のサイズはケースの寸法に制限されることは言うまでもない。メモ用紙ユニット用としてケースを製造する場合は、メモ用紙ユニットｍのサイズに対応したケース寸法にできることは言うまでもない。
【産業上の利用可能性】
【００３６】
以上のように、本考案によるメモ用紙セットによると、メモ用紙の使い勝手が良くなるため、このメモ用紙セットの利用者が増えると共に、内蔵したメモ用紙自体に広告宣伝の内容が印刷表示されているので、広告宣伝効果によって、商取引が活性化され、わが国の産業経済の発展が期待できる。
【図面の簡単な説明】
【００３７】
【図１】本考案によるメモ用紙セットに用いる透明ケースを開いた状態の斜視図である。
【図２】スタンド部とカバー板を開いた状態の斜視図である。
【図３】カバー板を台座にして、スタンド部を立てた状態の斜視図である。
【図４】図３のスタンド部にメモ用紙ユニットを挿入した状態の斜視図である。
【図５】スタンド部の基部に形成してある凹溝状部を示す縦断面図である。
【図６】スタンド部にメモ用紙ユニットを収納した状態で、カバー板を閉じた状態の斜視図である。
【図７】各メモ用紙の下辺側に広告領域を設け、全面に方眼や目盛を表示した実施形態の平面図である。
【図８】スタンド板やカバー板に開ける穴の各種形状を例示する図である。
【符号の説明】
【００３８】
１  スタンド部
１ｓ  スタンド板
１ｕ  凹溝状部
２  カバー板
３  軸支部
ｍ  メモ用紙ユニット
６  メモ用紙
６ａ  広告表示領域
７  方眼
８  １ｍｍ目盛
９  倣い穴
【図１】
0003103582.tif 000003
【図２】
0003103582.tif 000004
【図３】
0003103582.tif 000005
【図４】
0003103582.tif 000006
【図５】
0003103582.tif 000007
【図６】
0003103582.tif 000008
【図７】
0003103582.tif 000009
【図８】
0003103582.tif 000010